(57)【特許請求の範囲】
【請求項１】
上方に向かって空気を吹き出す室外ユニット（２０）であって、
上部に、空気を吹き出すための吹出口（１２０ｂ）が形成されるケーシング（２０ａ）と、
前記ケーシング内に収容され、内部を流れる冷媒と空気との間で熱交換を行わせる冷媒―空気熱交換器（４）と、
冷媒間で熱交換を行わせ、前記ケーシング内に収容される冷媒―冷媒熱交換器（５）と、
を備え、
前記ケーシング内には、前記冷媒―空気熱交換器を通過して前記吹出口に向かって流れる空気流路（ＡＰ）が形成されており、
前記ケーシング内であって前記冷媒―空気熱交換器の上方空間には、仕切り部材によって前記空気流路と仕切られる仕切り空間（Ｓ１）が形成され、
前記冷媒―冷媒熱交換器は、前記仕切り空間に位置している、
室外ユニット（２０）。
【請求項２】
前記ケーシング内において、前記吹出口の近傍に配置されるベルマウス（３６）、をさらに備え、
前記ベルマウスは、前記冷媒―空気熱交換器と前記冷媒―冷媒熱交換器とを上下方向に仕切る第１仕切部（３７）と、前記第１仕切部から上方に向かって延びる第２仕切部（３８）と、を有する、前記仕切り部材である、
請求項１に記載の室外ユニット。
【請求項３】
前記冷媒―空気熱交換器は、
上下方向に延びる第１ヘッダ（４３ａ，４３ｂ，６３ａ，６３ｂ）と、
前記第１ヘッダに交差する方向に延び、端部が前記第１ヘッダに接続される複数の第１扁平管（４４ａ，４４ｂ，６４ａ，６４ｂ）と、複数の前記第１扁平管のそれぞれの間に配置される第１伝熱フィン（４５ａ，４５ｂ，６５ａ，６５ｂ）と、を含む第１熱交換部と、
を有し、
前記冷媒―冷媒熱交換器は、
上下方向に延びる第２ヘッダ（７５ａ，８５ａ）と、
前記第２ヘッダに交差する方向に延び、端部が前記第２ヘッダに接続される複数の第２扁平管（７６ａａ，７６ａｂ，８６ａａ，８６ａｂ）と、複数の前記第２扁平管のそれぞれの間に配置される第２伝熱フィン（７７ａ，８７ａ）と、を含む第２熱交換部と、
を有し、
前記第１ヘッダと前記第２ヘッダとは、一体化している、
請求項１又は２に記載の室外ユニット。
【請求項４】
前記第１熱交換部と前記第２熱交換部との間には、隙間（Ｓ）が確保されており、
前記隙間には、断熱材が配置されている、
請求項３に記載の室外ユニット。
【発明の詳細な説明】
【技術分野】
【０００１】
本発明は、室外ユニットに関する。
【背景技術】
【０００２】
従来、特許文献１（特開２００９−２７０７４８号公報）に開示されるように、冷凍能力を向上させるために、冷媒と空気との間で熱交換を行わせる熱源側熱交換器とは別に、液ガス熱交換器が設けられる冷凍装置の室外ユニットが提案されている。この液ガス熱交換器は、内部を流れる冷媒間で熱交換を行わせる冷媒熱交換器である。
【発明の概要】
【発明が解決しようとする課題】
【０００３】
上述のような冷媒熱交換器は、通常、熱源側熱交換器に対して空気流下流側に配置されることが多い。このため、冷房運転時においては、熱源側熱交換器において熱交換された空気が冷媒熱交換器を通過することになり、冷媒熱交換器における冷却効率が低下してしまう。また、冷媒熱交換器が熱源側熱交換器の空気流下流側に配置されることにより、熱源側熱交換器を通過した空気の風速を低下させることになり、熱源側熱交換器における熱交換効率も低下することが懸念される。
【０００４】
そこで、本発明の課題は、冷媒―冷媒熱交換器の冷却効率の低下及び冷媒―空気熱交換器における熱交換効率の低下を抑制できる室外ユニットを提供することにある。
【課題を解決するための手段】
【０００５】
本発明の第１観点に係る室外ユニットは、上方に向かって空気を吹き出す室外ユニットが前提である。また、本発明の第１観点に係る室外ユニットは、ケーシングと、冷媒―空気熱交換器と、冷媒―冷媒熱交換器と、を備える。ケーシングは、上部に、空気を吹き出すための吹出口が形成される。冷媒―空気熱交換器は、ケーシング内に配置され、内部を流れる冷媒と空気との間で熱交換を行わせる。ケーシング内には、冷媒―空気熱交換器を通過して吹出口に向かって流れる空気流路が形成されている。また、ケーシング内であって冷媒―空気熱交換器の上方空間には、仕切り部材によって空気流路と仕切られる仕切り空間が形成されている。そして、冷媒―冷媒熱交換器は、仕切り空間に位置している。
【０００６】
本発明では、冷媒―冷媒熱交換器が、空気流路と仕切られる仕切り空間に位置していることで、冷媒−空気熱交換器を通過した空気がほとんど通らないようになっている。これにより、冷媒―冷媒熱交換器の冷却効率の低下を抑制できる。また、冷媒―冷媒熱交換器が冷媒―空気熱交換器の上方空間に位置する仕切り空間に位置している。これにより、冷媒―空気熱交換器を通過した空気の風速の低下を抑制でき、冷媒―空気熱交換器における熱交換効率の低下を抑制できる。
【０００７】
本発明の第２観点に係る室外ユニットは、本発明の第１観点に係る室外ユニットであって、ケーシング内において、吹出口の近傍に配置されるベルマウス、をさらに備える。ベルマウスは、第１仕切部と、第２仕切部とを有する、仕切り部材である。第１仕切部は、冷媒―空気熱交換器と冷媒―冷媒熱交換器とを上下方向に仕切る。第２仕切部は、第１仕切部から上方に向かって延びる。
【０００８】
本発明では、ベルマウスにより、空気流路と冷媒―冷媒熱交換器とを仕切ることができるので、冷媒―冷媒熱交換器の冷却効率の低下を抑制できる。
【０００９】
本発明の第３観点に係る室外ユニットは、本発明の第１観点又は第２観点に係る室外ユニットであって、冷媒―空気熱交換器は、上下方向に延びる第１ヘッダと、第１熱交換部とを有し、冷媒―冷媒熱交換器は、上下方向に延びる第２ヘッダと、第２熱交換部とを有する。第１熱交換部は、第１ヘッダに交差する方向に延び、端部が第１ヘッダに接続される複数の第１扁平管と、複数の第１扁平管のそれぞれの間に配置される第１伝熱フィンと、を含む。第２熱交換部は、第２ヘッダに交差する方向に延び、端部が第２ヘッダに接続される複数の第２扁平管と、複数の第２扁平管のそれぞれの間に配置される第２伝熱フィンと、を含む。そして、第１ヘッダと第２ヘッダとは、一体化している。
【００１０】
本発明では、第１ヘッダと第２ヘッダとを一体化させることにより、冷媒―空気熱交換器と冷媒―冷媒熱交換器とを一体化させてコンパクト化することができる。これにより、冷媒―空気熱交換器及び冷媒―冷媒熱交換器のケーシング内における占有容積を小さくできる。
【００１１】
本発明の第４観点に係る室外ユニットは、本発明の第３観点に係る室外ユニットであって、第１熱交換部と第２熱交換部との間には、隙間が確保されており、隙間には、断熱材が配置されている。
【００１２】
本発明では、第１熱交換部と第２熱交換部との間における熱交換を抑制できる。よって、冷媒―空気熱交換器及び冷媒―冷媒熱交換器のそれぞれにおける熱交換効率の低下を抑制できる。
【発明の効果】
【００１３】
本発明の第１観点に係る室外ユニットでは、冷媒―冷媒熱交換器の冷却効率の低下及び冷媒―空気熱交換器における熱交換効率の低下を抑制できる。
【００１４】
本発明の第２観点に係る室外ユニットでは、冷媒―冷媒熱交換器の冷却効率の低下を抑制できる。
【００１５】
本発明の第３観点に係る室外ユニットでは、冷媒―空気熱交換器及び冷媒―冷媒熱交換器のケーシング内における占有容積を小さくできる。
【００１６】
本発明の第４観点に係る室外ユニットでは、冷媒―空気熱交換器及び冷媒―冷媒熱交換器のそれぞれにおける熱交換効率の低下を抑制できる。
【図面の簡単な説明】
【００１７】
【図１】本発明に係る室外ユニットを有する冷凍装置の一例としての空気調和装置の概略構成図。
【図２】冷媒―空気熱交換器及び冷媒―冷媒熱交換器の概略の正面図。
【図３】室外ユニットの概略の外観図。
【図４】ケーシングの一部やファンを取り除いた状態の室外ユニットの斜視図。
【図５】ケーシング内の模式図。
【図６】従来の冷媒―空気熱交換器と冷媒―冷媒熱交換器との配置関係を示す模式図。
【発明を実施するための形態】
【００１８】
以下、本発明に係る室外ユニットの実施形態について、図面に基づいて説明する。尚、本発明に係る熱交換器の実施形態は、本発明の具体例の一つであって、本発明の技術的範囲を限定するものではない。
【００１９】
（１）空気調和装置１の構成
図１は、本発明に係る室外ユニット２０を有する冷凍装置の一例としての空気調和装置１の冷媒回路図である。図２は、冷媒―空気熱交換器４及び冷媒―冷媒熱交換器５の概略の正面図である。図３は、室外ユニット２０の概略の外観図である。図４は、ケーシング２０ａの一部やファン２９を取り除いた状態の室外ユニット２０の斜視図である。図５は、ケーシング２０ａ内の模式図である。尚、図２における冷媒―空気熱交換器４及び冷媒―冷媒熱交換器５の正面とは、空気の流れ方向の上流側の部分をいう。また、図４においては、圧縮機構２等の図示を省略し、冷媒―空気熱交換器４及び冷媒―冷媒熱交換器５を簡略化して図示している。
【００２０】
空気調和装置１は、ビル用のマルチタイプの空気調和装置であって、図１に示すように、１の室外ユニット２０に対して複数の室内ユニット３０ａ，３０ｂが並列に接続される構成を有している。また、空気調和装置１は、冷房運転と暖房運転とを切換可能であり、二酸化炭素等の超臨界域で作動する冷媒を用いる冷凍サイクルを行う。
【００２１】
空気調和装置１の冷媒回路１０は、主として、圧縮機構２と、切換機構３と、冷媒―空気熱交換器４と、冷媒―冷媒熱交換器５と、膨張機構６ａ，６ｂと、利用側熱交換器７ａ，７ｂと、レシーバ９を有している。圧縮機構２、切換機構３、冷媒―空気熱交換器４、冷媒−冷媒熱交換器５、及び、レシーバ９は、室外ユニット２０のケーシング２０ａ（図３や図４を参照）内に収容され、膨張機構６ａ，６ｂ及び利用側熱交換器７ａ，７ｂは、室内ユニット３０ａ，３０ｂのケーシング（図示せず）に収容されている。以下、冷媒回路１０を構成する各構成要素について説明する。
【００２２】
（２）冷媒回路１０の構成要素
（２−１）圧縮機構２
圧縮機構２は、圧縮機構ケーシング２１ａ内に、圧縮要素駆動モータ２１ｂと、駆動軸２１ｃと、第１圧縮要素２ｃと第２圧縮要素２ｄとが収容された密閉式構造を有している。圧縮要素駆動モータ２１ｂは、駆動軸２１ｃを介して第１圧縮要素２ｃ及び第２圧縮要素２ｄを駆動する。圧縮機構２は、吸入管２ａから低圧の冷媒を吸入し、吸入された低圧の冷媒を第１圧縮要素２ｃによって圧縮した後に中間冷媒管８に吐出する。さらに、圧縮機構２は、中間冷媒管８に吐出された冷媒を第２圧縮要素２ｄに吸入させてさらに圧縮した後に、吐出管２ｂに吐出している。ここで、中間冷媒管８は、第１圧縮要素２ｃで圧縮されて吐出された冷媒を、熱源側熱交換部４０へと流した後に、第２圧縮要素２ｄに吸入させるための冷媒管である。尚、以下の説明においては、中間冷媒管８のうち、第１圧縮要素２ｃと冷媒―空気熱交換器４の熱源側熱交換部４０（後述する）とを接続する冷媒管を第１中間冷媒管８ａと示し、第２圧縮要素２ｄと熱源側熱交換部４０とを接続する冷媒管を第２中間冷媒管８ｂと示すことにする。吐出管２ｂは、圧縮機構２から吐出された冷媒を冷媒―空気熱交換器４の中間熱交換部６０（後述する）に送るための冷媒管である。
【００２３】
（２−２）切換機構３
切換機構３は、冷媒回路１０内における冷媒の流れ方向を切り換えるための機構である。切換機構３は、圧縮機構２の吸入側、圧縮機構２の吐出側、冷媒―空気熱交換器４の熱源側熱交換部４０及び利用側熱交換器７ａ，７ｂに接続された四路切換弁である。切換機構３は、冷房運転時には、圧縮機構２の吐出側と熱源側熱交換部４０の一端とを接続すると共に圧縮機構２の吸入側と利用側熱交換器７ａ，７ｂの一端とを接続する（図１の切換機構３の実線を参照）。他方、切換機構３は、暖房運転時には、圧縮機構２の吐出側と利用側熱交換器７ａ，７ｂの一端とを接続すると共に圧縮機構２の吸入側と熱源側熱交換部４０の一端とを接続する（図１の切換機構３の点線を参照）。
【００２４】
（２−３）冷媒―空気熱交換器４
冷媒―空気熱交換器４は、内部を流れる冷媒と外を通過する空気との間で熱交換を行わせる。尚、冷媒―空気熱交換器４の外を通過する空気は、ファン２９によって供給され、図２において、紙面手前側から奥側に向かって流れる。ファン２９は、ファン駆動モータ２９ａによって駆動される。冷媒―空気熱交換器４は、熱源側熱交換部４０と中間熱交換部６０とを有している。熱源側熱交換部４０と中間熱交換部６０とは、熱源側熱交換部４０が上段に、中間熱交換部６０が下段に配置される２段構造を有している。熱源側熱交換部４０と中間熱交換部６０とは、後述するヘッダ４３ａ、４３ｂ及びヘッダ６３ａ，６３ｂ（第１ヘッダに相当）のそれぞれの長手方向における一端が互いにロウ付けによって接続されることにより、全体として一体化されている。そして、ヘッダ４３ａ，４３ｂとヘッダ６３ａ，６３ｂとが一体化されたヘッダが、冷媒―空気熱交換器４の第１ヘッダを構成している。
【００２５】
（２−３−１）熱源側熱交換部４０
熱源側熱交換部４０は、冷房運転時に圧縮機構２で圧縮された冷媒の放熱器として機能し、暖房運転時に、圧縮機構２で圧縮されて利用側熱交換器７ａ，７ｂで放熱された冷媒の加熱器として機能する。熱源側熱交換部４０は、その一端が切換機構３に接続されており、その他端がエコノマイザ熱交換部７０に接続されている。
【００２６】
熱源側熱交換部４０は、主として、空気流れ方向に列をなすように並ぶ第１部４１及び第２部４２を有している。第１部４１及び第２部４２とは、同様の構成を有している。第１部４１は、空気の流れ方向上流側に位置し、第２部４２は、空気の流れ方向下流側に位置している。ここで、図２は、正面図であるため、空気流れ方向上流側に位置する第１部４１のみが示されているが、第１部４１によって隠れている第２部４２の構成要素の番号についても、（）内に示すことにする。
【００２７】
第１部４１及び第２部４２は、それぞれ、主として、互いに離間した鉛直方向に延びる１対のヘッダ４３ａ，４３ｂと、１対のヘッダ４３ａ，４３ｂ間をヘッダ４３ａ，４３ｂの延びる方向に対して交差する方向（具体的には、水平方向）に延び長手方向における端部がヘッダ４３ａ，４３ｂに接続される複数の扁平管４４ａ，４４ｂと、複数の扁平管４４ａ，４４ｂのそれぞれの間に配置される伝熱フィン４５ａ，４５ｂとから構成される積層型の熱交換部である。複数の扁平管４４ａ，４４ｂは、鉛直方向に所定の間隔を空けて配置されている。ここで、第２部４２の１対のヘッダ４３ｂ，４３ｂのうちの一方のヘッダ（本実施形態では、図２の紙面左側のヘッダ４３ｂ）には、圧縮機構２から吐出された冷媒が流入する入口となる開口（図示せず）が形成されており、第１部４１の１対のヘッダ４３ａ，４３ａのうちの一方のヘッダ（本実施形態では、図２の紙面左側のヘッダ４３ａ）には、冷媒が熱源側熱交換部４０から後述する第１エコノマイザ冷媒管７１ｂへと流出する出口となる開口（図示せず）が形成されている。
【００２８】
尚、第１部４１と第２部４２とは、２つのヘッダ４３ａ，４３ｂのうち一方のヘッダ（本実施形態では、図２の紙面右側のヘッダ４３ａ，４３ｂ）間で冷媒の流通が可能となるように構成されている。
【００２９】
本実施形態の熱源側熱交換部４０では、第２部４２の図２の紙面左側のヘッダ４３ｂへ流入した冷媒は、扁平管４４ｂを介して第２部４２の図２の紙面右側のヘッダ４３ｂへ流入する。そして、第２部４２の図２の紙面右側のヘッダ４３ｂから第１部４１の図２の右側のヘッダ４３ａと冷媒が流れ、扁平管４４ａを介して、第１部４１の図２の紙面左側のヘッダ４３ａと流れ、採取的に第１エコノマイザ冷媒管へと流れるようになっている。尚、ヘッダ４３ａ，４３ｂ間で冷媒の流通を可能にするためには、別部材を用いてもよい。
【００３０】
（２−３−２）中間熱交換部６０
中間熱交換部６０は、熱源側熱交換部４０の下方に配置されて、熱源側熱交換部４０と一体化される熱交換部である。中間熱交換部６０は、中間冷媒管８に設けられており、その一端が第１圧縮要素２ｃに接続されるように、且つ、他端が第２圧縮要素２ｄに接続されるように構成されている。中間熱交換部６０は、冷房運転時に、第１圧縮要素２ｃで圧縮されて第２圧縮要素２ｄに吸入される、冷凍サイクルにおける中間圧の冷媒の放熱器として機能する。
【００３１】
中間熱交換部６０は、主として、空気流れ方向に列をなすように並ぶ第３部６１及び第４部６２を有している。第３部６１及び第４部６２とは、同様の構成を有している。第３部６１は、空気の流れ方向上流側に位置し、第４部６２は、空気の流れ方向下流側に位置している。尚、図２は、正面図であるため、空気流れ方向上流側に位置する第３部６１のみが示されているが、第３部６１によって隠れている第４部６２の構成要素の番号についても、（）内に示すことにする。
【００３２】
第３部６１及び第４部６２は、それぞれ、主として、互いに離間した鉛直方向に延びる１対のヘッダ６３ａ，６３ｂと、１対のヘッダ６３ａ，６３ｂ間をヘッダ６３ａ，６３ｂの延びる方向に対して交差する方向（具体的には、水平方向）に延び長手方向における端部がヘッダ６３ａ，６３ｂに接続される複数の扁平管６４ａ，６４ｂと、複数の扁平管６４ａ，６４ｂのそれぞれの間に配置される伝熱フィン６５ａ，６５ｂとから構成される積層型の熱交換部である。複数の扁平管６４ａ，６４ｂは、鉛直方向に所定の間隔を空けて配置されている。
【００３３】
本実施形態の中間熱交換部６０では、第１中間冷媒管８ａを流れてきた冷媒は、図２の紙面左側のヘッダ６３ａ，６３ｂに流入し、扁平管６４ａ，６４ｂを介して、図２の紙面右側のヘッダ６３ａ，６３ｂへと流れる。そして、第２中間冷媒管８ｂへと流出する。
【００３４】
尚、第３部６１と第１部４１とは、平面視位置が略同じであり、第４部６２と第２部４２とは、平面視位置が略同じである。
【００３５】
以上に説明したように、熱源側熱交換部４０の扁平管４４ａ，４４ｂ及び中間熱交換部６０の扁平管６４ａ，６４ｂは、冷媒―空気熱交換器４の第１扁平管を構成していることになる。また、熱源側熱交換部４０の伝熱フィン４５ａ，４５ｂ及び中間熱交換部６０の伝熱フィン６５ａ，６５ｂは、冷媒―空気熱交換器４の第１伝熱フィンを構成していることになる。また、熱源側熱交換部４０の扁平管４４ａ，４４ｂ及び伝熱フィン４５ａ，４５ｂと、中間熱交換部６０の扁平管６４ａ，６４ｂ及び伝熱フィン６５ａ，６５ｂとは、冷媒―空気熱交換器４の第１熱交換部を構成していることになる。
【００３６】
（２−４）冷媒―冷媒熱交換器５
冷媒―冷媒熱交換器５は、冷媒間で熱交換を行わせる熱交換器であり、冷媒―空気熱交換器４の上方空間に配置されている。冷媒―冷媒熱交換器５は、エコノマイザ熱交換部７０と、過冷却熱交換部８０とを有している。エコノマイザ熱交換部７０と過冷却熱交換部８０とは、空気流れ方向に列をなすように並んで配置されている。具体的には、過冷却熱交換部８０は、エコノマイザ熱交換部７０に対して、空気流れ方向上流側に位置し、エコノマイザ熱交換部７０は、過冷却熱交換部８０に対して、空気流れ方向下流側に位置している。冷媒―冷媒熱交換器５は、冷媒―空気熱交換器４と、一体化されている。具体的には、冷媒―空気熱交換器４の第１ヘッダと、冷媒―冷媒熱交換器５の第２ヘッダ（後述する）とが、これらの長手方向における一端が互いにロウ付けによって接続されることにより、冷媒―空気熱交換器４と冷媒―冷媒熱交換器５とが一体化されている。
【００３７】
（２−４−１）エコノマイザ熱交換部７０
エコノマイザ熱交換部７０は、冷媒回路１０において、熱源側熱交換部４０と、利用側熱交換器７ａ，７ｂとの間に配置される熱交換部であり、第１エコノマイザ冷媒流路７１ａと第２エコノマイザ冷媒流路７２ａとが形成されている。第１エコノマイザ冷媒流路７１ａと第２エコノマイザ冷媒流路７２ａとは、これらをそれぞれ流れる冷媒が対向するように構成されている。エコノマイザ熱交換部７０では、冷房運転時に、第１エコノマイザ冷媒流路７１ａを流れる冷媒と第２エコノマイザ冷媒流路７２ａを流れる冷媒との間で熱交換を行わせる。尚、第１エコノマイザ冷媒流路７１ａは、後述する扁平管７６ａａに形成される複数の穴（図示せず）によって形成されている。また、第２エコノマイザ冷媒流路７２ａは、後述する扁平管７６ａｂに形成される複数の穴（図示せず）によって形成されている。
【００３８】
第１エコノマイザ冷媒流路７１ａには、冷房運転時に熱源側熱交換部４０において冷却された冷媒が流れている。第２エコノマイザ冷媒流路７２ａには、冷房運転時に熱源側熱交換部４０において冷却された冷媒から分岐された一部の冷媒であって、エコノマイザ入口膨張機構７９において中間圧付近まで減圧された後の冷媒が流れている。ここで、熱源側熱交換部４０とエコノマイザ熱交換部７０の第１エコノマイザ冷媒流路７１ａを形成する扁平管７６ａａとを接続する冷媒管を、第１エコノマイザ冷媒管７１ｂとし、エコノマイザ熱交換部７０の扁平管７６ａａとレシーバ９とを接続する冷媒管を、第２エコノマイザ冷媒管７１ｃとする。第１エコノマイザ冷媒管７１ｂには、エコノマイザ分岐管７２が接続されている。
【００３９】
エコノマイザ分岐管７２は、熱源側熱交換部４０で冷却された冷媒の一部を分岐してエコノマイザ熱交換部７０に流した後に第２圧縮要素２ｄに戻すことが可能な冷媒管である。尚、第２エコノマイザ冷媒流路７２ａを形成する扁平管７６ａｂは、このエコノマイザ分岐管７２を構成している。エコノマイザ分岐管７２は、扁平管７６ａｂの他に、第１エコノマイザ分岐管７２ｂと、第２エコノマイザ分岐管７２ｃとを有している。ここで、第１エコノマイザ分岐管７２ｂは、第１エコノマイザ冷媒管７１ｂと、扁平管７６ａｂとを接続する冷媒管である。第２エコノマイザ分岐管７２ｃは、扁平管７６ａｂと第２中間冷媒管８ｂとを接続する冷媒管である。第１エコノマイザ分岐管７２ｂには、エコノマイザ入口膨張機構７９が設けられている。エコノマイザ入口膨張機構７９は、熱源側熱交換部４０で冷却された高圧の冷媒を中間圧付近まで減圧する減圧機構である。尚、エコノマイザ入口膨張機構７９には、開度調節が可能な電動膨張弁が使用される。エコノマイザ入口膨張機構７９は、冷房運転時に、開度調整がされ、暖房運転時には、閉状態に制御される。
【００４０】
以下、エコノマイザ熱交換部７０の詳細構成について、図２を用いて説明する。尚、図２は正面図であるため、冷媒―冷媒熱交換器５において空気流れ方向下流側に位置するエコノマイザ熱交換部７０は、過冷却熱交換部８０によって隠れているが、エコノマイザ熱交換部７０の構成要素の番号についても、（）内に示すことにする。
【００４１】
エコノマイザ熱交換部７０は、主として、空気流れ方向に列をなすように並ぶ複数（本実施形態では、２つ）の積層型熱交換部７３を有している。
【００４２】
複数の積層型熱交換部７３は、主として、互いに離間した鉛直方向に延びる１対のヘッダ７５ａと、１対のヘッダ７５ａ間をヘッダ７５ａの延びる方向に対して交差する方向（具体的には、水平方向）に延び長手方向における端部がヘッダ７５ａに接続される複数（本実施形態では、２つ）の扁平管ユニット７６ａと、複数の扁平管ユニット７６ａ間に配置される伝熱フィン７７ａとから構成される。複数の扁平管ユニット７６ａは、鉛直方向に所定の間隔を空けて配置されている。扁平管ユニット７６ａは、鉛直方向に並ぶ扁平管７６ａａと扁平管７６ａｂとを有している。扁平管７６ａａと扁平管７６ａｂとは、同様の構成を有する。扁平管７６ａａ，７６ａｂは、その扁平な面の法線が鉛直方向に延びるように配置されている。また、扁平管ユニット７６ａは、２つの扁平管７６ａａ，７６ａｂが、それらの扁平な面同士が互いに密着するように構成されている。扁平管７６ａａ，７６ａｂには、上述したように、それぞれ、図示はしないが、複数の穴が形成されている。複数の穴は、それぞれを流れる冷媒が平行して流れるように形成されている。
【００４３】
（２−４−２）過冷却熱交換部８０
過冷却熱交換部８０は、第１過冷却冷媒流路８１ａと第２過冷却冷媒流路８１ｂとが形成されており、冷房運転時において、第１過冷却冷媒流路８１ａを流れる冷媒と、第２過冷却冷媒流路８１ｂを流れる冷媒との間で熱交換を行わせる熱交換部である。過冷却熱交換部８０では、冷房運転時において、利用側熱交換器７ａ，７ｂへと流れる冷媒を過冷却状態にしている。第１過冷却冷媒流路８１ａと第２過冷却冷媒流路８１ｂとは、これらをそれぞれ流れる冷媒が対向するように構成されている。尚、第１過冷却冷媒流路８１ａは、後述する扁平管８６ａａに形成される複数の穴（図示せず）によって形成されている。また、第２過冷却冷媒流路８１ｂは、後述する扁平管８６ａｂに形成される複数の穴（図示せず）によって形成されている。
【００４４】
第１過冷却冷媒流路８１ａには、レシーバ９から抜き出された高圧の冷媒が流れている。第２過冷却冷媒流路８１ｂには、レシーバ接続管９４から分岐された冷媒であって後述する吸入膨張機構９６によって低圧まで減圧された後の冷媒が流れている。
【００４５】
ここで、レシーバ接続管９４とは、一端がレシーバ９に接続され、他端が過冷却熱交換部８０の第１過冷却冷媒流路８１ａを形成する扁平管８６ａａに接続される冷媒管である。また、過冷却熱交換部８０の第２過冷却冷媒流路８１ｂを形成する扁平管８６ａｂは、レシーバ接続管９４に接続される吸入戻し管９５を構成している。吸入戻し管９５とは、レシーバ９内から冷媒を抜き出して、過冷却熱交換部８０を介して吸入管２ａに戻すことが可能な冷媒管であり、一端がレシーバ接続管９４に接続され、他端が吸入管２ａに接続されている。吸入戻し管９５の、過冷却熱交換部８０の冷媒流れ上流側の位置には、レシーバ９から抜き出された冷媒を低圧まで減圧する吸入膨張機構９６が設けられている。吸入膨張機構９６には、開度調整が可能な電動膨張弁が使用されている。尚、吸入膨張機構９６は、冷房運転時に、開度調整がされ、暖房運転時には、閉状態に制御される。過冷却熱交換部８０の扁平管８６ａａを出た冷媒は、冷媒管５ａを介して膨張機構６ａ，６ｂへと送られる。ここで、冷媒管５ａとは、一端が過冷却熱交換部８０の扁平管８６ａａに接続され、他端が膨張機構６ａ，６ｂに接続される冷媒管である。
【００４６】
以下、過冷却熱交換部８０の詳細構成について、図２を用いて説明する。
【００４７】
過冷却熱交換部８０は、主として、空気流れ方向に列をなすように並ぶ、複数（本実施形態では、２つ）の積層型熱交換部８３を有している。
【００４８】
複数の積層型熱交換部８３は、主として、互いに離間した鉛直方向に延びる１対のヘッダ８５ａと、１対のヘッダ８５ａ間をヘッダ８５ａの延びる方向に対して交差する方向（具体的には、水平方向）に延び長手方向における端部がヘッダ８５ａに接続される複数（本実施形態では、２つ）の扁平管ユニット８６ａと、複数の扁平管ユニット８６ａ間に配置される伝熱フィン８７ａとから構成される熱交換部である。複数の扁平管ユニット８６ａは、鉛直方向に所定の間隔を空けて配置されている。扁平管ユニット８６ａは、鉛直方向に並ぶ扁平管８６ａａと扁平管８６ａｂとを有している。扁平管８６ａａと扁平管８６ａｂとは、同様の構成を有している。扁平管８６ａａ，８６ａｂは、その扁平な面の法線が鉛直方向に延びるように配置されている。また、扁平管ユニット８６ａは、２つの扁平管８６ａａ，８６ａｂが、その扁平な面同士が互いに密着するように構成されている。扁平管８６ａａ，８６ａｂには、図示はしないが、上述したように、それぞれ、複数の穴が形成されており、複数の穴は、それぞれを流れる冷媒が平行して流れるように形成されている。
【００４９】
以上に説明したように、エコノマイザ熱交換部７０の扁平管７６ａａ，７６ａｂと、過冷却熱交換部８０の扁平管８６ａａ，８６ａｂとは、冷媒―冷媒熱交換器５の第２扁平管を構成していることになる。また、エコノマイザ熱交換部７０の伝熱フィン７７ａと過冷却熱交換部８０の伝熱フィン８７ａとは、冷媒―冷媒熱交換器５の第２伝熱フィンを構成していることになる。また、エコノマイザ熱交換部７０の扁平管７６ａａ，７６ａｂ及び伝熱フィン７７ａと、過冷却熱交換部８０の扁平管８６ａａ，８６ａｂ及び伝熱フィン８７ａとは、冷媒―冷媒熱交換器５の第２熱交換部を構成していることになる。
【００５０】
ここで、エコノマイザ熱交換部７０の最下段に位置する扁平管ユニット７６ａ及び過冷却熱交換部８０の最下段に位置する扁平管ユニット８６ａと、熱源側熱交換部４０の最上段に位置する扁平管４５ａ，４５ｂとの間には、伝熱フィンを配置していない。すなわち、冷媒―空気熱交換器４の第１熱交換部と冷媒―冷媒熱交換器５の第２熱交換部との間には、隙間Ｓが確保されている。
【００５１】
（２−５）膨張機構６ａ，６ｂ
膨張機構６ａ，６ｂは、例えば、電動膨張弁であり、熱源側熱交換部４０及び冷媒―冷媒熱交換器５において冷却された高圧の冷媒を、利用側熱交換器７ａ，７ｂに送る前に、冷凍サイクルにおける低圧付近まで減圧する。膨張機構６ａ，６ｂの一端は、冷媒管５ａを介して、冷媒―冷媒熱交換器５の過冷却熱交換部８０に接続されている。膨張機構６ａ，６ｂの他端は、利用側熱交換器７ａ，７ｂに接続されている。
【００５２】
（２−６）利用側熱交換器７ａ，７ｂ
利用側熱交換器７ａ，７ｂは、膨張機構６ａ，６ｂによって減圧された低圧の冷媒を加熱して加熱させる加熱器である。利用側熱交換器７ａ，７ｂは、外を通過する空気と利用側熱交換器７ａ，７ｂ内を流れる冷媒との間で熱交換を行わせる。尚、利用側熱交換器７ａ，７ｂを通過する空気流れは、図示しないファンによって生成される。利用側熱交換器７ａ，７ｂの一端は、膨張機構６ａ，６ｂに接続されている。利用側熱交換器７ａ，７ｂの他端は、冷媒管５ｂ及び吸入管２ａを介して、圧縮機構２の吸入側に接続されている。冷媒管５ｂは、利用側熱交換器７ａ，７ｂと、吸入管２ａとを接続する冷媒管である。
【００５３】
（２−７）レシーバ９
レシーバ９は、冷媒回路１０における冷媒の循環量が異なる等の運転状態に応じて発生する余剰冷媒を溜める容器である。レシーバ９は、エコノマイザ熱交換部７０の第１エコノマイザ冷媒流路７１ａ、又は、過冷却熱交換部８０の第１過冷却冷媒流路８１ａを通過した後の冷媒を一時的に溜めるための容器である。レシーバ９は、一端が第２エコノマイザ冷媒管７１ｃに接続されており、他端がレシーバ接続管９４に接続するように構成されている。
【００５４】
（２−８）動作
以上のような冷媒回路１０を有する空気調和装置１の運転時の動作について、冷媒回路１０を循環する冷媒の流れに基づいて、説明する。
【００５５】
（２−８−１）冷房運転時における動作
冷房運転時には、切換機構３が図１の実線に示す状態に制御される。また、エコノマイザ入口膨張機構７９及び吸入膨張機構９６の開度が調整される。
【００５６】
まず、圧縮機構２が駆動されると、冷凍サイクルにおける低圧の冷媒は、吸入管２ａから圧縮機構２に吸入される。圧縮機構２に吸入された低圧の冷媒は、第１圧縮要素２ｃによって冷凍サイクルにおける中間圧まで圧縮された後に第１中間冷媒管８ａに吐出される。この第１圧縮要素２ｃから吐出された冷媒は、冷媒―空気熱交換器４の中間熱交換部６０に送られる。中間熱交換部６０に送られた冷媒は、中間熱交換部６０において外を通過する空気と熱交換を行うことで冷却され、第２中間冷媒管８ｂを介して第２圧縮要素２ｄに吸入される。尚、中間熱交換部６０で冷却されて第２中間冷媒管８ｂに送られる冷媒は、第２中間冷媒管８ｂにおいて、エコノマイザ分岐管７２を流れる冷媒と合流する。そして、中間熱交換部６０で冷却されて第２中間冷媒管８ｂに送られる冷媒とエコノマイザ分岐管７２を流れる冷媒とが合流した冷媒は、第２圧縮要素２ｄに吸入される。第２圧縮要素２ｄに吸入された冷媒は、第２圧縮要素２ｄにおいてさらに圧縮されて、吐出管２ｂに吐出される。圧縮機構２から吐出された高圧の冷媒は、切換機構３を通じて、冷媒―空気熱交換器４の熱源側熱交換部４０に送られる。熱源側熱交換部４０に送られた高圧の冷媒は、熱源側熱交換部４０において、外を通過する空気と熱交換されて冷却される。熱源側熱交換部４０において冷却された高圧の冷媒は、冷媒―冷媒熱交換器５のエコノマイザ熱交換部７０に送られるが、その一部は、エコノマイザ分岐管７２（具体的には、第１エコノマイザ分岐管７２ｂ）に分岐される。第１エコノマイザ分岐管７２ｂを流れる高圧の冷媒は、エコノマイザ入口膨張機構７９において、中間圧付近まで減圧された後に、エコノマイザ熱交換部７０の第２エコノマイザ冷媒流路７２ａを流れる。他方、第１エコノマイザ冷媒管７１ｂを流れる高圧の冷媒も、エコノマイザ熱交換部７０の第１エコノマイザ冷媒流路７１ａを流れる。そして、エコノマイザ熱交換部７０において、第１エコノマイザ冷媒流路７１ａを流れる冷媒と、第２エコノマイザ冷媒流路７２ａを流れる冷媒との間で熱交換が行われる。具体的には、第１エコノマイザ分岐管７２ｂを流れエコノマイザ熱交換部７０の第２エコノマイザ冷媒流路７２ａに流入した冷媒は、第１エコノマイザ冷媒流路７１ａを流れる冷媒と熱交換を行って加熱され、第２エコノマイザ分岐管７２ｃを介して第２中間冷媒管８ｂへ流れる。エコノマイザ熱交換部７０の第２エコノマイザ冷媒流路７２ａを流れて第２中間冷媒管８ｂへと流入した冷媒は、第２中間冷媒管８ｂにおいて、中間熱交換部６０において冷却された中間圧の冷媒と合流することになる。他方、エコノマイザ熱交換部７０の第１エコノマイザ冷媒流路７１ａを流れる冷媒は、第２エコノマイザ冷媒流路７２ａを流れる中間圧の冷媒と熱交換を行って冷却される。エコノマイザ熱交換部７０において冷却された冷媒は、レシーバ９内に一時的に溜められる。レシーバ９内に溜められた冷媒は、レシーバ接続管９４へと流れる。レシーバ接続管９４へ流れた冷媒は、一部が吸入戻し管９５に分岐される。吸入戻し管９５を流れる冷媒は、吸入膨張機構９６において低圧付近まで減圧された後に過冷却熱交換部８０の第２過冷却冷媒流路８１ｂに送られる。第２過冷却冷媒流路８１ｂを流れる冷媒は、第１過冷却冷媒流路８１ａを流れる冷媒と熱交換を行って加熱され、圧縮機構２の吸入側（吸入管２ａ）に流れる。他方、吸入戻し管９５に一部が分岐された残りの冷媒は、過冷却熱交換部の第１過冷却冷媒流路８１ａに流入し、第１過冷却冷媒流路８１ａを通過する際に、第２過冷却冷媒流路８１ｂを流れる低圧付近の冷媒と熱交換を行って冷却され過冷却状態となる。過冷却熱交換部８０において冷却された冷媒は、冷媒管５ａを介して、複数の室内ユニット３０ａ，３０ｂのそれぞれへと送られる。室内ユニット３０ａ，３０ｂへと送られた冷媒は、膨張機構６ａ，６ｂによって減圧されて低圧の冷媒となり、冷媒の加熱器として機能する利用側熱交換器７ａ，７ｂに送られる。そして、利用側熱交換器７ａ，７ｂに送られた低圧の冷媒は、外を通過する空気と熱交換を行って加熱される。そして、利用側熱交換器７ａ，７ｂで加熱された低圧の冷媒は、冷媒管５ｂ及び吸入管２ａを介して第１圧縮要素２ｃに吸入される。
【００５７】
（２−８−２）暖房運転時における動作
暖房運転時には、切換機構３が図１の点線に示す状態に制御される。また、エコノマイザ入口膨張機構７９及び吸入膨張機構９６が閉状態に制御される。よって、暖房運転時には、エコノマイザ熱交換部７０及び過冷却熱交換部８０は機能しない状態になっている。
【００５８】
この冷媒回路１０の状態において、圧縮機構２が駆動されると、冷凍サイクルにおける低圧の冷媒は、吸入管２ａから圧縮機構２に吸入される。圧縮機構２に吸入された低圧の冷媒は、第１圧縮要素２ｃによって冷凍サイクルにおける中間圧まで圧縮された後に第１中間冷媒管８ａに吐出される。この第１圧縮要素２ｃから吐出された冷媒は、冷媒―空気熱交換器４の中間熱交換部６０に送られる。中間熱交換部６０に送られた冷媒は、中間熱交換部６０において外を通過する空気と熱交換を行うことで冷却され、第２中間冷媒管８ｂを介して第２圧縮要素２ｄに吸入される。第２圧縮要素２ｄに吸入された冷媒は、第２圧縮要素２ｄにおいてさらに圧縮されて、吐出管２ｂに吐出される。圧縮機構２から吐出された高圧の冷媒は、切換機構３及び冷媒管５ｂを通じて、複数の室内ユニット３０ａ，３０ｂのそれぞれに送られる。室内ユニット３０ａ，３０ｂに送られた高圧の冷媒は、冷媒の放熱器として機能する利用側熱交換器７ａ，７ｂにおいて、外を通過する空気と熱交換を行って冷却される。利用側熱交換器７ａ，７ｂにおいて冷却された高圧の冷媒は、膨張機構６ａ，６ｂによって減圧されて低圧の冷媒となり、冷媒管５ａを介して、過冷却エコノマイザ熱交換部７０を通過した後に、レシーバ９内に一時的に溜められる。レシーバ９に溜められた冷媒は、エコノマイザ熱交換部７０を通過した後に、冷媒―空気熱交換器４の熱源側熱交換部４０へと送られる。熱源側熱交換部４０に送られた低圧の冷媒は、熱源側熱交換部４０において、外を通過する空気と熱交換されて加熱される。熱源側熱交換部４０において加熱された高圧の冷媒は、切換機構３及び吸入管２ａを通じて、第１圧縮要素２ｃに吸入される。
【００５９】
（３）室外ユニット２０の詳細構成
以下、室外ユニット２０の構成について、図３〜図５を用いて説明する。室外ユニット２０は、ケーシング２０ａを有している。ケーシング２０ａは、主として、正面部分を形成する正面板２１、左部分を形成する左側面板２２、背面部分を形成する背面板２３、右部分を形成する右側面板２４、上部分を形成する天板２５、下部分を形成する底板２６、鉛直方向に延びる支柱９１，９２、及び、鉛直方向に延びる支柱９３，９４を有している。左側面板２２及び右側面板２４は、それぞれ、支柱９１，９２、支柱９３，９４と共に一体に成形されている。側面板２２，２４及び背面板２３には、室外ユニット２０のケーシング内に空気を取り込むための吸込口１２０ａが形成されている（背面板２３に形成される吸込口については図示せず）。また、天板２５には、上方に向かって空調空気を吹き出すための吹出口１２０ｂが形成されている。正面板２１及び背面板２３は、それぞれ、支柱９１，９４、支柱９２，９３の外側に取り付けられている。また、支柱９１〜９４は、底板２６、上部に位置する横ステー５１、及び、上部に位置するモータ支持台５２によって互いに連結されている。モータ支持台５２には、ファン２９を駆動するファン駆動モータ２９ａが固定されている。
【００６０】
また、ケーシング２０ａ内には、空気流路ＡＰが形成されている。空気流路ＡＰは、ファン２９によって生成される空気流れが生じている流路であり、吸込口１２０ａから吸い込まれて冷媒―空気熱交換器４を通過した空気がケーシング２０ａの上部に形成される吹出口１２０ｂに向かって流れる流路である。尚、空気流路ＡＰにおける空気流れを、図５において矢印で示している。
【００６１】
また、ケーシング２０ａ内には、吹出口１２０ｂの近傍にベルマウス３６が配置されている。ベルマウス３６には、吹出口１２０ｂと略同じ大きさを有する開口３６ａが形成されている。ベルマウス３６は、その下端部が横ステー５１やファンモータ支持台５２の上部に固定されており、開口３６ａがケーシング２０ａに形成される吹出口１２０ｂに沿うように配置されている。尚、図示はしていないが、天板２５には、吹出口１２０ｂを覆うように網目状の吹出グリルが取り付けられている。
【００６２】
ベルマウス３６は、主として、開口３６ａが形成される筒状部３７（第２仕切部に相当）と、筒状部３７の外面から外側に向かって水平方向に延びる平面部３８（第１仕切部に相当）とを有している。尚、筒状部３７は、平面部３８から上方に向かって（具体的には、鉛直方向に）延びている。筒状部３７は、ケーシング２０ａ内の上部空間であって且つ略中央部に配置されている。ベルマウス３６は、筒状部３７の側面が、冷媒―冷媒熱交換器５とファン２９やファン駆動モータ２９ａとの間に位置するように配置されている。また、筒状部３７は、開口３６ａが吹出口１２０ｂに沿うように、その上面が、天板２５に接触している。
【００６３】
平面部３８は、一端が筒状部３７の外面に接続され、他端が、ケーシング２０ａの側面を形成する板（正面板２１、左側面板２２、背面板２３、及び、右側面板２４）の内面に接続される。尚、本実施形態では、冷媒―空気熱交換器４及び冷媒―冷媒熱交換器５をそれぞれ構成する第１ヘッダ及び第２ヘッダは、一体化されているので、平面部３８において第１ヘッダ及び第２ヘッダに対応する位置には、開口（図示せず）が形成されている。平面部３８は、冷媒―冷媒熱交換器５の下方に位置しており、第１熱交換部と第２熱交換部との間に形成される隙間Ｓに位置している。平面部３８は、筒状部３７から正面側に向かって延びる正面側平面部（図示せず）と、筒状部３７から左側に向かって延びる左側平面部３８ｂと、筒状部３７から背面側に向かって延びる背面側平面部（図示せず）と、筒状部３７から右側に向かって延びる右側平面部３８ｄとを有している。正面側平面部及び背面側平面部は、横ステー５１及びファンモータ支持台５２に接触しており、左側平面部３８ｂ及び右側平面部３８ｄは、横ステー５１に接触している。
【００６４】
筒状部３７の内面及び平面部３８の下面は、正面板２１、左側面板２２、背面板２３、右側面板２４、及び、底板２６と共に、空気流路ＡＰを形成している。すなわち、ベルマウス３６は、開口３６ａに冷媒―空気熱交換器４を通過した後の空気を流すことで、冷媒―空気熱交換器４を通過した後の空気を吹出口１２０ｂへと案内している。また、ベルマウス３６は、筒状部３７と平面部３８とによって、空気流路ＡＰと冷媒―空気熱交換器４の上方空間とを仕切る仕切り部材として機能している。具体的には、平面部３８は、冷媒―空気熱交換器４と、冷媒―冷媒熱交換器５（空気流路ＡＰ）とを上下方向に仕切っている。また、筒状部３７は、冷媒―冷媒熱交換器５の正面視における側面部分（具体的には、冷媒―冷媒熱交換器５の背面側部分）と、空気流路ＡＰとを仕切っている。
【００６５】
これにより、ケーシング２０ａ内において、冷媒―空気熱交換器４の上方空間には、空気流路ＡＰと仕切られる仕切り空間Ｓ１が形成されている。
【００６６】
（４）特徴
図６は、従来の冷媒―空気熱交換器１４０と冷媒―冷媒熱交換器１５０との配置関係を示す模式図である。
【００６７】
従来、図６に示すように、冷媒間で熱交換を行わせる冷媒―冷媒熱交換器１５０は、冷媒と空気との間で熱交換を行わせる冷媒―空気熱交換器１４０に対して、空気流れ方向の下流側に配置されている。このため、冷房運転時においては、冷媒―空気熱交換器１４０において熱交換された空気が冷媒―冷媒熱交換器１５０を通過することになり、冷媒―冷媒熱交換器１５０における冷却効率が低下してしまう。また、冷媒―冷媒熱交換器１５０が冷媒―空気熱交換器１４０の空気流れ方向の下流側に配置されることにより、冷媒―空気熱交換器１４０を通過した空気の風速を低下させることになり、冷媒―空気熱交換器１４０における熱交換効率も低下することが懸念される。さらに、このように、冷媒―空気熱交換器１４０と冷媒―冷媒熱交換器１５０とを配置すると、ケーシング内における熱交換器の占有容積が大きくなる。尚、図６においては、１２２が正面板であり、１２９がファンであり、１３６がベルマウスである。
【００６８】
そこで、本実施形態では、まず、冷媒―空気熱交換器４と冷媒―冷媒熱交換器５とを第１ヘッダ及び第２ヘッダを介して一体化している。これにより、冷媒―空気熱交換器４と冷媒―冷媒熱交換器５とをコンパクト化することができる。よって、ケーシング２０ａ内における冷媒―空気熱交換器４及び冷媒―冷媒熱交換器５の占有容積を小さくできる。そして、本実施形態では、仕切り部材としてのベルマウス３６によって空気流路ＡＰと仕切られる仕切り空間Ｓ１に、冷媒―空気熱交換器４の上方に配置される冷媒―冷媒熱交換器５が位置するようにしている。これにより、冷媒―冷媒熱交換器５は、空気流路ＡＰと仕切られることになる。よって、冷媒―冷媒熱交換器５は、冷媒―空気熱交換器４において熱交換された後の空気がほとんど通過しない位置に配置されていることになる。これにより、冷媒―冷媒熱交換器５における冷却効率の低下を抑制できる。また、冷媒―空気熱交換器４を通過した後の空気の風速の低下も抑制でき、冷媒―空気熱交換器４における熱交換効率の低下も抑制できる。
【００６９】
（５）変形例
以上、本発明の実施形態について図面に基づいて説明したが、具体的な構成は、上記の実施形態に限られるものではなく、発明の要旨を逸脱しない範囲で変更可能である。
【００７０】
（５−１）変形例Ａ
上記実施形態では、ベルマウス３６が、空気流路ＡＰと仕切られる仕切り部材であると説明したがこれに限られるものではない。
【００７１】
例えば、筒状部に相当する部分を構成するベルマウスと、平面部に相当する部分を構成する別部材とによって、仕切り部材を構成してもよい。この場合であっても、本変形例Ａに係る仕切り部材が、空気流路ＡＰと冷媒―冷媒熱交換器５とを仕切ることができるので、上記実施形態と同様の作用効果を達成できる。
【００７２】
（５−２）変形例Ｂ
上記実施形態の構成以外にも、第１熱交換部と第２熱交換部との間に確保される隙間Ｓ２に、断熱材を配置してもよい。これにより、第１熱交換部と第２熱交換部との間における熱交換を抑制でき、冷媒―冷媒熱交換器５の断熱性がより確保される。尚、断熱材は、より冷媒―冷媒熱交換器５の断熱性を確保するために、冷媒―冷媒熱交換器５の周囲を覆うように配置してもよい。
【００７３】
（５−３）変形例Ｃ
上記実施形態では、冷凍装置として、冷房運転及び暖房運転を実行可能な空気調和装置１を例に挙げて説明したが、これに限られるものではなく、本発明は、冷房運転のみを実行する空気調和装置に適用してもよいし、ヒートポンプ式の給湯装置に適用してもよい。
【産業上の利用可能性】
【００７４】
本発明では、冷媒と空気との間で熱交換を行わせる冷媒―空気熱交換器と、冷媒間で熱交換を行わせる冷冷媒―冷媒熱交換器とを備える、室外ユニットに種々適用可能である。
【符号の説明】
【００７５】
４                                      冷媒―空気熱交換器
５                                      冷媒―冷媒熱交換器
２０                                    室外ユニット
２０ａ                                  ケーシング
３６                                    ベルマウス
３７                                    筒状部（第１仕切部）
３８                                    平面部（第２仕切部）
４３ａ，４３ｂ，６３ａ，６３ｂ          ヘッダ（第１ヘッダ）
４４ａ，４４ｂ，６４ａ，６４ｂ          扁平管（第１扁平管）
４５ａ，４５ｂ，６５ａ，６５ｂ          伝熱フィン（第１伝熱フィン）
７５ａ，８５ａ                          ヘッダ（第２ヘッダ）
７６ａａ，７６ａｂ，８６ａａ，８６ａｂ  扁平管（第２扁平管）
７７ａ，８７ａ                          伝熱フィン（第２伝熱フィン）
１２０ｂ                                吹出口
ＡＰ                                    空気流路
Ｓ                                      隙間
Ｓ１                                    仕切り空間
【先行技術文献】
【特許文献】
【００７６】
【特許文献１】特開２００９−２７０７４８号公報
【図１】
0005849697.tif 000002
【図２】
0005849697.tif 000003
【図３】
0005849697.tif 000004
【図４】
0005849697.tif 000005
【図５】
0005849697.tif 000006
【図６】
0005849697.tif 000007